(57)【要約】【課題】土工における土留杭、中間杭や、支持杭として使用される仮設工用Ｈ形鋼杭について、杭の先端支持力を確実に確保し、工期の短縮や工事費用の削減を図る。【解決手段】Ｈ形鋼からなる杭本体１１の下端に、前記杭本体１１，２１の断面を包絡する長方形又はこの長方形を包含する形の鋼板１２を取り付ける。必要に応じて、鋼板１２と杭本体１１との間を連結するスチフナ１３や、鋼板１２の底面から杭の下方側に突出する突出部材１４を設ける。また、鋼板１２に貫通孔１２ｈを穿設し、杭本体１１の側面の所定箇所にスペーサ１５を取り付ける。【選択図】　　　　図１
2004027775.tif 000002
【特許請求の範囲】
【請求項１】
Ｈ形鋼からなる杭本体と、
前記杭本体の下端に取り付けられ、前記杭本体の断面を包絡する長方形又はこの長方形を包含する形の鋼板と
を備えることを特徴とする仮設工用Ｈ形鋼杭。
【請求項２】
請求項１に記載の仮設工用Ｈ形鋼杭において、
前記鋼板に、貫通孔が穿設されていること
を特徴とする仮設工用Ｈ形鋼杭。
【請求項３】
請求項１又は２に記載の仮設工用Ｈ形鋼杭において、
前記鋼板の底面に、杭の下方側に突出する突出部材が取り付けられていることを特徴とする仮設工用Ｈ形鋼杭。
【請求項４】
請求項１〜３のいずれか一項に記載の仮設工用Ｈ形鋼杭において、
前記鋼板と前記杭本体との間を連結するスチフナが取り付けられていること
を特徴とする仮設工用Ｈ形鋼杭。
【請求項５】
請求項１〜４のいずれか一項に記載の仮設工用Ｈ形鋼杭において、
前記杭本体の側面の所定箇所に、スペーサが取り付けられていること
を特徴とする仮設工用Ｈ形鋼杭。
【発明の詳細な説明】
【０００１】
【発明の属する技術分野】
本発明は、土工における土留杭、中間杭や、支持杭として使用される仮設工用Ｈ形鋼杭に関する。
【０００２】
【従来の技術】
従来、土工における土留杭、中間杭や、支持杭として使用される仮設工用Ｈ形鋼杭について、杭の先端支持力を十分に確保するためには、杭の先端の少なくとも２ｍ程度を、支持層へ根入れする必要があった。
【０００３】
また、仮設工用Ｈ形鋼杭は、Ｈ形鋼の断面を包絡する長方形の面積、または、プレボーリングモルタル根固め工法では、杭の先端に注入したセメントミルクなどの硬化材が硬化してなる硬化体断面積により、先端支持力が確保される。
【０００４】
しかしながら、プレボーリングモルタル根固め工法の場合、所定の先端支持力を発揮するには、硬化材の硬化までの時間を待たねばならず、また、硬化後の簡易的な支持力確認が難しかった。
【０００５】
【発明が解決しようとする課題】
本発明の課題は、土工における土留杭、中間杭や、支持杭として使用される仮設工用Ｈ形鋼杭について、杭の先端支持力を確実に確保することができ、工期の短縮や工事費用の削減を図ることが可能な仮設工用Ｈ形鋼杭を提供することである。
【０００６】
【課題を解決するための手段】
以上の課題を解決するため、請求項１に記載の発明である仮設工用Ｈ形鋼杭１，２は、例えば図１〜図４に示すように、Ｈ形鋼からなる杭本体１１，２１と、
前記杭本体１１，２１の下端に取り付けられ、前記杭本体１１，２１の断面を包絡する長方形又はこの長方形を包含する形の鋼板１２，２２と
を備えることを特徴とする。
ここで、仮設工用Ｈ形鋼杭とは、例えば、土工（本設構造物の躯体の一部として利用される仮設工を含む）における土留杭、中間杭や、支持杭などとして使用される杭のことである。
また、前記鋼板の形が円形または四角以上の正多角形であることが好ましい。これは、プレボーリング工法で本仮設工用Ｈ形鋼杭を設置する際に、アースオーガの掘削孔径に合わせて、この仮設工用Ｈ形鋼杭の先端支持面積を大きく確保できるためである。
【０００７】
請求項１に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。
【０００８】
請求項２に記載の発明は、例えば図１、図２、図４に示すように、請求項１に記載の仮設工用Ｈ形鋼杭１，２において、
前記鋼板１２，２２に、貫通孔１２ｈ，２２ｈが穿設されていること
を特徴とする。
【０００９】
請求項２に記載の発明によれば、請求項１に記載の発明と同様の効果が得られるとともに、鋼板に貫通孔が穿設されているので、仮設工用Ｈ形鋼杭先端を根固めするために杭先端に注入されるセメントミルクなどの硬化材が貫通孔から上部に流れることで、鋼板の下面をプレボーリングによる削孔底により直接支持させることができる。
【００１０】
請求項３に記載の発明は、例えば図１、図２、図４に示すように、請求項１又は２に記載の仮設工用Ｈ形鋼杭１，２において、
前記鋼板１２，２２の底面に、杭の下方側に突出する突出部材１４，２４が取り付けられていること
を特徴とする。
【００１１】
請求項３に記載の発明によれば、請求項１又は２に記載の発明と同様の効果が得られるとともに、鋼板の底面に、杭の下方側に突出する突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。
【００１２】
請求項４に記載の発明は、例えば図１、図２、図４に示すように、請求項１〜３のいずれか一項に記載の仮設工用Ｈ形鋼杭１，２において、
前記鋼板１２，２２と前記杭本体１１，２１との間を連結するスチフナ１３，２３が取り付けられていること
を特徴とする。
【００１３】
請求項４に記載の発明によれば、請求項１〜３のいずれか一項に記載の発明と同様の効果が得られるとともに、鋼板と杭本体との間を連結するスチフナが取り付けられているので、杭本体に対する鋼板の取付強度を高めるとともに、鋼板の変形を抑えることができる。
【００１４】
請求項５に記載の発明は、例えば図１、図３、図４に示すように、請求項１〜４のいずれか一項に記載の仮設工用Ｈ形鋼杭１，２において、
前記杭本体１１，２１の側面の所定箇所に、スペーサ１５，２５が取り付けられていること
を特徴とする。
【００１５】
請求項５に記載の発明によれば、請求項１〜４のいずれか一項に記載の発明と同様の効果が得られるとともに、杭本体の側面の所定箇所に、スペーサが取り付けられているので、プレボーリング工法で本仮設工用Ｈ形鋼杭を設置する際に、アースオーガによる掘削孔壁とスペーサとが接触することにより、本仮設工用Ｈ形鋼杭の建て込み角度を安定させることができる。
【００１６】
【発明の実施の形態】
以下、図面を参照しながら、本発明に係る仮設工用Ｈ形鋼杭について、その実施の形態を具体的に説明する。
【００１７】
本実施の形態の仮設工用Ｈ形鋼杭は、根切り工事において切梁を支持する中間杭、仮設構台（桟橋）支持杭、あるいは土留杭やその他の支持杭として用いられるものである。この仮設工用Ｈ形鋼杭は、アースオーガにより地盤に穿孔された径６００ｍｍ程度のボーリング孔に、セメントミルクなどの硬化材を注入した上で、揚重機械により吊り降ろされ、所定の支持力が得られるように打撃貫入されて、設置される。
【００１８】
図１に示すように、この仮設工用Ｈ形鋼杭１では、サイズＨ−３００×３００×１０×１５のＨ形鋼からなる杭本体１１の下端中央に、直径Ｄ＝５４０ｍｍ、厚さｔ＝２２ｍｍの円板形の鋼板１２が溶接されている。
【００１９】
また、図１、図２に示すように、仮設工用Ｈ形鋼杭１には、鋼板１２と杭本体１１との間を連結する厚さｔ＝１６ｍｍのスチフナ１３が溶接されている。
【００２０】
また、図１、図２に示すように、鋼板１２の底面には、杭の下方側に突出するように、長さ１００ｍｍの溝形鋼（Ｃ−２００×９０×８×１３．５）からなる突出部材１４が、二つ対称に溶接されている。
【００２１】
また、図１、図２に示すように、鋼板１２には、貫通孔１２ｈがドリルで穿設されている。
【００２２】
さらに、図１、図３に示すように、杭本体１１，２１の天端から３ｍ程度下方の位置のフランジには、長さ３００ｍｍの溝形鋼（Ｃ−１００×５０×５×７．５）からなるスペーサ１５が、溝部を杭本体１１側に向けるようにして、杭本体１１の幅方向に溶接されている。
【００２３】
ここで、Ｈ形鋼杭の先端支持力の算出根拠として用いられている先端支持面積と、仮設工用Ｈ形鋼杭１の鋼板１２の面積との比較を示す。また、サイズ３５０のＨ形鋼からなる杭本体に直径Ｄ＝５４０ｍｍの鋼板を用いた例と、サイズ４００のＨ形鋼からなる杭本体に直径Ｄ＝６３０ｍｍの鋼板を用いた例とについても、併せて示す。
【００２４】
【表１】
2004027775.tif 000003
【００２５】
通常、Ｈ形鋼杭の先端支持面積は、その断面を包絡する長方形の面積を用いて評価され、仮設工用Ｈ形鋼杭１のようにＨ形鋼のサイズが３００の場合、先端支持面積は９００ｍｍ２となる。これに対して、直径Ｄ＝５４０ｍｍの鋼板１２の面積は２２９０ｍｍ２であり、仮設工用Ｈ形鋼杭１の先端支持面積は、通常のＨ形鋼杭の先端支持面積の２５４％に相当する。
同様に、他の２例についても、先端支持面積はそれぞれ、通常のＨ形鋼杭の支持面積の１８７％、１９５％まで増大している。
【００２６】
サイズ３００の通常のＨ形鋼杭で、所要の杭支持力を得るための支持層のＮ値として４０〜５０程度の値が必要とされる場合、本仮設工用Ｈ形鋼杭１を用いれば、Ｎ値が２０程度の層まで杭を到達させれば、同程度の杭支持力が得られる。
【００２７】
以上、本実施の形態に記載の仮設工用Ｈ形鋼杭１によれば、Ｈ形鋼からなる杭本体１１と、杭本体１１の下端に取り付けられた円板形の鋼板１２とが備えられているので、この鋼板１２により仮設工用Ｈ形鋼杭１の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭１の先端を根固めするために杭先端に注入されるセメントミルクなどの硬化材の強度が発現する前に、仮設工用Ｈ形鋼杭１の先端支持力が十分に確保され、仮設工用Ｈ形鋼杭１の上部工を早期に進行することができる。したがって、早強セメントなどの高価な硬化材を使用する必要がなくなり、工費を削減することができる。
また、鋼板１２が円板形であるので、プレボーリング工法で本仮設工用Ｈ形鋼杭１を設置する際に、アースオーガの掘削孔径に合わせて、この仮設工用Ｈ形鋼杭の先端支持面積を最大限確保することが可能である。
【００２８】
また、鋼板１２に貫通孔１２ｈが穿設されているので、仮設工用Ｈ形鋼杭先端１を根固めするために杭先端に注入されるセメントミルクなどの硬化材が貫通孔１２ｈから上部に流れることで、鋼板の下面１２をプレボーリングによる削孔底により直接支持させることができる。
【００２９】
また、鋼板１２の底面に、杭の下方側に突出する突出部材１４が取り付けられているので、仮設工用Ｈ形鋼杭１の最終打撃の際の杭の回転を防止することができる。
したがって、仮設工用Ｈ形鋼杭１を設置した後、この仮設工用Ｈ形鋼杭１の上部工（切梁、腹起し、横矢板、仮設桟橋、仮設構台など）を円滑に施工することができる。
【００３０】
また、鋼板１２と杭本体１１との間を連結するスチフナ１３が取り付けられているので、杭本体１１に対する鋼板１２の取付強度を高めるとともに、鋼板１２の変形を抑えることができる。
【００３１】
また、杭本体１１の側面の所定箇所に、スペーサ１５が取り付けられているので、プレボーリング工法で本仮設工用Ｈ形鋼杭１を設置する際に、アースオーガによる掘削孔壁Ｈとスペーサ１５とが接触する（図３（ａ）参照）ことにより、本仮設工用Ｈ形鋼杭１の建て込み角度を安定させることができる。
【００３２】
なお、本発明の仮設工用Ｈ形鋼杭は、上記の実施の形態に限定されることなく、本発明の趣旨を逸脱しない範囲内おいて、種々の改良並びに設計の変更を行っても良い。
例えば、図２に示すように、スチフナ２３を適宜取り付けることにより、鋼板２２の直径を杭本体２１のサイズに比して大幅に拡げ、仮設工用Ｈ形鋼杭の先端支持面積を大きくすることが可能である。
その他、具体的な細部構造等についても適宜に変更可能であることは勿論である。
【００３３】
【発明の効果】
請求項１に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。
【００３４】
請求項２に記載の発明によれば、請求項１に記載の発明と同様の効果が得られるとともに、鋼板に貫通孔が穿設されているので、仮設工用Ｈ形鋼杭先端を根固めするために杭先端に注入されるセメントミルクなどの硬化材が貫通孔から上部に流れることで、鋼板の下面をプレボーリングによる削孔底により直接支持させることができる。
【００３５】
請求項３に記載の発明によれば、請求項１又は２に記載の発明と同様の効果が得られるとともに、鋼板の底面に、杭の下方側に突出する突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。
【００３６】
請求項４に記載の発明によれば、請求項１〜３のいずれか一項に記載の発明と同様の効果が得られるとともに、鋼板と杭本体との間を連結するスチフナが取り付けられているので、杭本体に対する鋼板の取付強度を高めるとともに、鋼板の変形を抑えることができる。
【００３７】
請求項５に記載の発明によれば、請求項１〜４のいずれか一項に記載の発明と同様の効果が得られるとともに、杭本体の側面の所定箇所に、スペーサが取り付けられているので、プレボーリング工法で本仮設工用Ｈ形鋼杭を設置する際に、アースオーガによる掘削孔壁とスペーサとが接触することにより、本仮設工用Ｈ形鋼杭の建て込み角度を安定させることができる。
【図面の簡単な説明】
【図１】本発明に係る仮設工用Ｈ形鋼杭の一例を示す斜視図である。
【図２】本発明に係る仮設工用Ｈ形鋼杭の一例の先端を示すもので、（ａ）は断面図、（ｂ）、（ｃ）はそれぞれ（ａ）におけるＡ−Ａ矢視図、Ｂ−Ｂ矢視図である。
【図３】本発明に係る仮設工用Ｈ形鋼杭の一例の杭長方向途上部分を示すもので、（ａ）は断面図、（ｂ）、（ｃ）はそれぞれ（ａ）におけるＡ−Ａ矢視図、Ｂ−Ｂ矢視図である。
【図４】本発明に係る仮設工用Ｈ形鋼杭の他の一例を示す斜視図である。
【符号の説明】
１，２　　　　　仮設工用Ｈ形鋼杭
１１，２１　　　杭本体
１２，２２　　　鋼板
１２ｈ，２２ｈ　貫通孔
１３，２３　　　スチフナ
１４，２４　　　突出部材
１５，２５　　　スペーサ
【図１】
2004027775.tif 000004
【図２】
2004027775.tif 000005
【図３】
2004027775.tif 000006
【図４】
2004027775.tif 000007
【手続補正書】
【提出日】平成15年4月4日(2003.4.4)
【手続補正１】
【補正対象書類名】明細書
【補正対象項目名】特許請求の範囲
【補正方法】変更
【補正の内容】
【特許請求の範囲】
【請求項１】
Ｈ形鋼からなる杭本体と、
前記杭本体の下端に取り付けられ、前記杭本体の断面を包絡する長方形又はこの長方形を包含する形の鋼板と
を備え、
前記鋼板の底面に、杭の下方側に突出する突出部材が二つ対称に取り付けられていること
を特徴とする仮設工用Ｈ形鋼杭。
【請求項２】
Ｈ形鋼からなる杭本体と、
前記杭本体の下端に取り付けられ、前記杭本体の断面を包絡する長方形又はこの長方形を包含する形の鋼板と
を備え、
前記鋼板の底面に、杭の下方側に突出する溝形鋼からなる突出部材が取り付けられていること
を特徴とする仮設工用Ｈ形鋼杭。
【請求項３】
請求項１又は２に記載の仮設工用Ｈ形鋼杭において、
前記鋼板に、貫通孔が穿設されていること
を特徴とする仮設工用Ｈ形鋼杭。
【請求項４】
請求項１〜３のいずれか一項に記載の仮設工用Ｈ形鋼杭において、
前記鋼板と前記杭本体との間を連結するスチフナが取り付けられていること
を特徴とする仮設工用Ｈ形鋼杭。
【請求項５】
請求項１〜４のいずれか一項に記載の仮設工用Ｈ形鋼杭において、
前記杭本体の側面の所定箇所に、スペーサが取り付けられていること
を特徴とする仮設工用Ｈ形鋼杭。
【手続補正２】
【補正対象書類名】明細書
【補正対象項目名】０００６
【補正方法】変更
【補正の内容】
【０００６】
【課題を解決するための手段】
以上の課題を解決するため、請求項１に記載の発明である仮設工用Ｈ形鋼杭１，２は、例えば図１〜図４に示すように、Ｈ形鋼からなる杭本体１１，２１と、
前記杭本体１１，２１の下端に取り付けられ、前記杭本体１１，２１の断面を包絡する長方形又はこの長方形を包含する形の鋼板１２，２２と
を備え、
前記鋼板１２，２２の底面に、杭の下方側に突出する突出部材１４，２４が二つ対称に取り付けられていること
を特徴とする。


【手続補正３】
【補正対象書類名】明細書
【補正対象項目名】０００７
【補正方法】変更
【補正の内容】
【０００７】
請求項２に記載の発明である仮設工用Ｈ形鋼杭１，２は、例えば図１〜図４に示すように、Ｈ形鋼からなる杭本体１１，２１と、
前記杭本体１１，２１の下端に取り付けられ、前記杭本体１１，２１の断面を包絡する長方形又はこの長方形を包含する形の鋼板１２，２２と
を備え、
前記鋼板１２，２２の底面に、杭の下方側に突出する溝形鋼からなる突出部材１４，２４が取り付けられていること
を特徴とする。


【手続補正４】
【補正対象書類名】明細書
【補正対象項目名】０００８
【補正方法】変更
【補正の内容】
【０００８】
ここで、仮設工用Ｈ形鋼杭とは、例えば、土工（本設構造物の躯体の一部として利用される仮設工を含む）における土留杭、中間杭や、支持杭などとして使用される杭のことである。
また、前記鋼板の形が円形または四角以上の正多角形であることが好ましい。これは、プレボーリング工法で本仮設工用Ｈ形鋼杭を設置する際に、アースオーガの掘削孔径に合わせて、この仮設工用Ｈ形鋼杭の先端支持面積を大きく確保できるためである。


【手続補正５】
【補正対象書類名】明細書
【補正対象項目名】０００９
【補正方法】変更
【補正の内容】
【０００９】
請求項１又は２に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。
加えて、請求項１に記載の発明によれば、鋼板の底面に、杭の下方側に突出する突出部材が二つ対称に取り付けられているので、また、請求項２に記載の発明によれば、鋼板の底面に、杭の下方側に突出する溝形鋼からなる突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。


【手続補正６】
【補正対象書類名】明細書
【補正対象項目名】００１０
【補正方法】変更
【補正の内容】
【００１０】
請求項３に記載の発明は、例えば図１、図２、図４に示すように、請求項１又は２に記載の仮設工用Ｈ形鋼杭１，２において、
前記鋼板１２，２２に、貫通孔１２ｈ，２２ｈが穿設されていること
を特徴とする。


【手続補正７】
【補正対象書類名】明細書
【補正対象項目名】００１１
【補正方法】変更
【補正の内容】
【００１１】
請求項３に記載の発明によれば、請求項１又は２に記載の発明と同様の効果が得られるとともに、鋼板に貫通孔が穿設されているので、仮設工用Ｈ形鋼杭先端を根固めするために杭先端に注入されるセメントミルクなどの硬化材が貫通孔から上部に流れることで、鋼板の下面をプレボーリングによる削孔底により直接支持させることができる。


【手続補正８】
【補正対象書類名】明細書
【補正対象項目名】００３３
【補正方法】変更
【補正の内容】
【００３３】
【発明の効果】
請求項１又は２に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。


【手続補正９】
【補正対象書類名】明細書
【補正対象項目名】００３４
【補正方法】変更
【補正の内容】
【００３４】
加えて、請求項１に記載の発明によれば、鋼板の底面に、杭の下方側に突出する突出部材が二つ対称に取り付けられているので、また、請求項２に記載の発明によれば、鋼板の底面に、杭の下方側に突出する溝形鋼からなる突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。


【手続補正１０】
【補正対象書類名】明細書
【補正対象項目名】００３５
【補正方法】変更
【補正の内容】
【００３５】
請求項３に記載の発明によれば、請求項１又は２に記載の発明と同様の効果が得られるとともに、鋼板に貫通孔が穿設されているので、仮設工用Ｈ形鋼杭先端を根固めするために杭先端に注入されるセメントミルクなどの硬化材が貫通孔から上部に流れることで、鋼板の下面をプレボーリングによる削孔底により直接支持させることができる。




【手続補正書】
【提出日】平成15年8月7日(2003.8.7)
【手続補正１】
【補正対象書類名】明細書
【補正対象項目名】特許請求の範囲
【補正方法】変更
【補正の内容】
【特許請求の範囲】
【請求項１】
Ｈ形鋼からなる杭本体と、
前記杭本体の下端に取り付けられ、前記杭本体の断面を包絡する長方形又はこの長方形を包含する形の鋼板とを備え、
前記鋼板の底面に、杭の下方側に突出する溝形鋼からなる突出部材が取り付けられていることを特徴とする仮設工用Ｈ形鋼杭。
【請求項２】
前記突出部材が二つ対称に設けられていることを特徴とする請求項１に記載の仮設工用Ｈ形鋼杭。
【請求項３】
前記鋼板に、貫通孔が穿設されていることを特徴とする請求項１又は２に記載の仮設工用Ｈ形鋼杭。
【請求項４】
前記鋼板と前記杭本体との間を連結するスチフナが取り付けられていることを特徴とする請求項１〜３のいずれか一項に記載の仮設工用Ｈ形鋼杭。
【請求項５】
前記杭本体の側面の所定箇所に、スペーサが取り付けられていることを特徴とする請求項１〜４のいずれか一項に記載の仮設工用Ｈ形鋼杭。
【手続補正２】
【補正対象書類名】明細書
【補正対象項目名】０００６
【補正方法】変更
【補正の内容】
【０００６】
【課題を解決するための手段】
以上の課題を解決するため、請求項１に記載の発明である仮設工用Ｈ形鋼杭１，２は、例えば図１〜図４に示すように、Ｈ形鋼からなる杭本体１１，２１と、前記杭本体１１，２１の下端に取り付けられ、前記杭本体１１，２１の断面を包絡する長方形又はこの長方形を包含する形の鋼板１２，２２とを備え、前記鋼板１２，２２の底面に、杭の下方側に突出する溝形鋼からなる突出部材１４，２４が取り付けられていることを特徴とする。


【手続補正３】
【補正対象書類名】明細書
【補正対象項目名】０００７
【補正方法】変更
【補正の内容】
【０００７】
ここで、仮設工用Ｈ形鋼杭とは、例えば、土工（本設構造物の躯体の一部として利用される仮設工を含む）における土留杭、中間杭や、支持杭などとして使用される杭のことである。
また、前記鋼板の形が円形または四角以上の正多角形であることが好ましい。これは、プレボーリング工法で本仮設工用Ｈ形鋼杭を設置する際に、アースオーガの掘削孔径に合わせて、この仮設工用Ｈ形鋼杭の先端支持面積を大きく確保できるためである。


【手続補正４】
【補正対象書類名】明細書
【補正対象項目名】０００８
【補正方法】変更
【補正の内容】
【０００８】
請求項１に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。
加えて、請求項１に記載の発明によれば、鋼板の底面に、杭の下方側に突出する溝形鋼からなる突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。


【手続補正５】
【補正対象書類名】明細書
【補正対象項目名】０００９
【補正方法】変更
【補正の内容】
【０００９】
請求項２に記載の発明は、例えば図１〜図４に示すように、仮設工用Ｈ形鋼杭１，２において、前記突出部材１４，２４が二つ対称に設けられていることを特徴とする。


【手続補正６】
【補正対象書類名】明細書
【補正対象項目名】００３３
【補正方法】変更
【補正の内容】
【００３３】
【発明の効果】
請求項１に記載の発明によれば、Ｈ形鋼からなる杭本体と、杭本体の下端に取り付けられ、前記杭本体の断面を包絡する長方形又はこの長方形を包含する形の鋼板とが備えられているので、この鋼板により仮設工用Ｈ形鋼杭の先端支持面積を確実に確保できるとともに、杭の先端支持力の算出根拠となる先端支持面積が明確になる。
また、杭の先端支持力は、杭の先端支持面積と地盤の強度とに依存するが、杭の先端支持面積が拡がると、相対的に杭先端の支持層の強度が小さくて済むので、杭長を短くして工期や工事費用を削減することができる。
また、仮設工用Ｈ形鋼杭先端を根固めするために杭先端に注入されるセメントミルクなどの硬化材の強度が発現する前に、仮設工用Ｈ形鋼杭の先端支持力が十分に確保され、仮設工用Ｈ形鋼杭の上部工を早期に進行することができる。したがって、早強セメントなどの高価な硬化材を使用する必要がなくなり、工費を削減することができる。


【手続補正７】
【補正対象書類名】明細書
【補正対象項目名】００３４
【補正方法】変更
【補正の内容】
【００３４】
加えて、請求項１に記載の発明によれば、鋼板の底面に、杭の下方側に突出する溝形鋼からなる突出部材が取り付けられているので、仮設工用Ｈ形鋼杭の最終打撃の際の杭の回転を防止することができる。
したがって、仮設工用Ｈ形鋼杭を設置した後、この仮設工用Ｈ形鋼杭の上部工（切梁、腹起し、横矢板、仮設桟橋、仮設構台など）を円滑に施工することができる。